(57)【要約】【課題】表示部が使用者に対して遠近方向に動く場合に発生する、目に映る画像が二重になる現象を抑制する携帯端末装置を提供する。【解決手段】携帯端末装置１０１は、表示部１０６と使用者との距離を検出する距離検出部１０４と、表示部の前記使用者に対する遠近方向の移動度を検出する移動度検出部１０３と、基準画像生成部１０７により生成される、表示部１０６に表示される画像の基になる基準画像を、距離検出部１０４により検出される距離および移動度検出部１０３により検出される移動度に基づいて左方向または右方向に変位させた左目用画像および右目用画像をそれぞれ生成する変位画像生成部１０８と、左目用画像が使用者の左目のみで認識され、右目用画像が使用者の右目のみで認識されるよう、左目用画像および右目用画像を表示部１０６に表示させる画像表示制御部１０９と、を含む。【選択図】図１
2010032931.tif 000002
【特許請求の範囲】
【請求項１】
表示部と使用者との距離を検出する距離検出手段と、
前記表示部の前記使用者に対する遠近方向の移動度を検出する移動度検出手段と、
前記距離検出手段により検出される前記距離および前記移動度検出手段により検出される前記移動度に基づいて、前記表示部に表示される画像の基になる基準画像を左方向または右方向に変位させた左目用画像および右目用画像をそれぞれ生成する変位画像生成手段と、
前記左目用画像が前記使用者の左目のみで認識され、前記右目用画像が前記使用者の右目のみで認識されるよう、前記左目用画像および前記右目用画像を前記表示部に表示させる画像表示制御手段と、
を含むことを特徴とする携帯端末装置。
【請求項２】
請求項１に記載の携帯端末装置において、
前記変位画像生成手段は、前記表示部が前記使用者に近づいた場合、前記基準画像を左方向に前記距離および前記移動度に応じた変位量だけ変位させた前記左目用画像を生成し、前記基準画像を右方向に前記距離および前記移動度に応じた変位量だけ変位させた前記右目用画像を生成する、
ことを特徴とする携帯端末装置。
【請求項３】
請求項１または２に記載の携帯端末装置において、
前記変位画像生成手段は、前記表示部が前記使用者から遠のいた場合、前記基準画像を右方向に前記距離および前記移動度に応じた変位量だけ変位させた前記左目用画像を生成し、前記基準画像を左方向に前記距離および前記移動度に応じた変位量だけ変位させた前記右目用画像を生成する、
ことを特徴とする携帯端末装置。
【請求項４】
請求項１から３のいずれかに記載の携帯端末装置において、
前記変位画像生成手段は、前記表示部が前記使用者に近づいた場合、前記距離検出手段により検出される移動前の前記距離と移動後の前記距離とに応じた倍率に縮小した前記基準画像を用いて前記左目用画像および前記右目用画像をそれぞれ生成する、
ことを特徴とする携帯端末装置。
【請求項５】
請求項１から４のいずれかに記載の携帯端末装置において、
前記変位画像生成手段は、前記表示部が前記使用者から遠のいた場合、前記距離検出手段により検出される移動前の前記距離と移動後の前記距離とに応じた倍率に拡大した前記基準画像を用いて前記左目用画像および前記右目用画像をそれぞれ生成する、
ことを特徴とする携帯端末装置。
【請求項６】
請求項４または５に記載の携帯端末装置において、
前記倍率は、前記移動度にさらに基づいて決定される、
ことを特徴とする携帯端末装置。
【請求項７】
請求項１から６のいずれかに記載の携帯端末装置において、
前記移動度は、前記表示部の前記使用者に対する遠近方向の加速度および速度の少なくとも一方である、
ことを特徴とする携帯端末装置。
【請求項８】
請求項７に記載の携帯端末装置において、
前記画像表示制御手段は、
前記移動度が所定値以上の場合、前記左目用画像が前記使用者の左目のみで認識され、前記右目用画像が前記使用者の右目のみで認識されるよう、前記左目用画像および前記右目用画像を前記表示部に表示させ、
前記移動度が所定値未満の場合、前記基準画像を前記表示部に表示させる、
ことを特徴とする携帯端末装置。
【請求項９】
請求項１から８のいずれかに記載の携帯端末装置において、
前記表示部はレンティキュラレンズを有し、
前記画像表示制御手段は、前記左目用画像が前記使用者の左目によってのみ認識され、前記右目用画像が前記使用者の右目によってのみ認識されるよう、前記表示部に、前記左目用画像および前記右目用画像を前記レンティキュラレンズを介して表示させる、
ことを特徴とする携帯端末装置。
【請求項１０】
表示部と使用者との距離を検出するステップと、
前記表示部の前記使用者に対する遠近方向の移動度を検出するステップと、
前記距離および前記移動度に基づいて、前記表示部に表示される画像の基になる基準画像を左方向または右方向に変位させた左目用画像および右目用画像をそれぞれ生成するステップと、
前記左目用画像が前記使用者の左目のみで認識され、前記右目用画像が前記使用者の右目のみで認識されるよう、前記左目用画像および前記右目用画像を前記表示部に表示させるステップと、
を含むことを特徴とする、画像表示制御方法。
【発明の詳細な説明】
【技術分野】
【０００１】
本発明は、携帯端末装置および画像表示制御方法に関し、特に携帯端末装置の表示部に表示される画像の補正に関する。
【背景技術】
【０００２】
携帯端末装置は使用者の手に把持された状態で使用されることが多く、手ぶれなどで携帯端末装置が揺れるとその表示部も使用者の目に対して揺れるため、使用者は表示部に表示されている画像を見づらくなる。
【０００３】
揺動する表示部の画像を見やすくする技術として、下記特許文献１には、携帯端末装置の上下左右方向の移動に応じて、画像を移動方向とは逆の方向に変位させ、使用者に対する遠近方向の移動に応じて、画像を拡大または縮小する技術が開示されている。
【特許文献１】特開２００４−１２８７１２号公報
【発明の開示】
【発明が解決しようとする課題】
【０００４】
しかしながら、携帯端末装置が使用者に対して遠近方向に動く場合、目に映る画像の大きさが変動するとともに、表示部に表示されている画像中の、使用者が見ている対象は使用者の視線上から外れ、左右の目の視線が対象に追従するまで使用者の目に映る画像は二重になる。特許文献１は、遠近方向に動く場合については大きさの変動に対する補正が行われているのみで、対象の移動については考慮されていないため、視線が対象に追従するまでの間は画像が二重に見えるという問題がある。
【０００５】
本発明は上記課題に鑑みてなされたものであって、その目的は、表示部が使用者に対して遠近方向に動く場合に発生する、目に映る画像が二重になる現象を抑制する携帯端末装置を提供することにある。
【課題を解決するための手段】
【０００６】
上記課題を解決するために、本発明に係る携帯端末装置は、表示部と使用者との距離を検出する距離検出手段と、前記表示部の前記使用者に対する遠近方向の移動度を検出する移動度検出手段と、前記距離検出手段により検出される前記距離および前記移動度検出手段により検出される前記移動度に基づいて、前記表示部に表示される画像の基になる基準画像を左方向または右方向に変位させた左目用画像および右目用画像をそれぞれ生成する変位画像生成手段と、前記左目用画像が前記使用者の左目のみで認識され、前記右目用画像が前記使用者の右目のみで認識されるよう、前記左目用画像および前記右目用画像を前記表示部に表示させる画像表示制御手段と、を含む。
【０００７】
また、本発明の一態様では、前記変位画像生成手段は、前記表示部が前記使用者に近づいた場合、前記基準画像を左方向に前記距離および前記移動度に応じた変位量だけ変位させた前記左目用画像を生成し、前記基準画像を右方向に前記距離および前記移動度に応じた変位量だけ変位させた前記右目用画像を生成する。
【０００８】
また、本発明の一態様では、前記変位画像生成手段は、前記表示部が前記使用者から遠のいた場合、前記基準画像を右方向に前記距離および前記移動度に応じた変位量だけ変位させた前記左目用画像を生成し、前記基準画像を左方向に前記距離および前記移動度に応じた変位量だけ変位させた前記右目用画像を生成する。
【０００９】
さらに、本発明の一態様では、前記変位画像生成手段は、前記表示部が前記使用者に近づいた場合、前記距離検出手段により検出される移動前の前記距離と移動後の前記距離とに応じた倍率に縮小した前記基準画像を用いて前記左目用画像および前記右目用画像をそれぞれ生成する。
【００１０】
さらに、本発明の一態様では、前記変位画像生成手段は、前記表示部が前記使用者から遠のいた場合、前記距離検出手段により検出される移動前の前記距離と移動後の前記距離とに応じた倍率に拡大した前記基準画像を用いて前記左目用画像および前記右目用画像をそれぞれ生成する。
【００１１】
また、本発明の一態様では、前記倍率は、前記移動度にさらに基づいて決定される。
【００１２】
また、本発明の一態様では、前記移動度は、前記表示部の前記使用者に対する遠近方向の加速度および速度の少なくとも一方である。
【００１３】
さらに、本発明の一態様では、前記画像表示制御手段は、前記移動度が所定値以上の場合、前記左目用画像が前記使用者の左目のみで認識され、前記右目用画像が前記使用者の右目のみで認識されるよう、前記左目用画像および前記右目用画像を前記表示部に表示させ、前記移動度が所定値未満の場合、前記基準画像を前記表示部に表示させる。
【００１４】
また、本発明の一態様では、前記表示部はレンティキュラレンズを有し、前記画像表示制御手段は、前記左目用画像が前記使用者の左目によってのみ認識され、前記右目用画像が前記使用者の右目によってのみ認識されるよう、前記表示部に、前記左目用画像および前記右目用画像を前記レンティキュラレンズを介して表示させる。
【００１５】
また、本発明に係る画像表示制御方法は、表示部と使用者との距離を検出するステップと、前記表示部の前記使用者に対する遠近方向の移動度を検出するステップと、前記距離および前記移動度に基づいて、前記表示部に表示される画像の基になる基準画像を左方向または右方向に変位させた左目用画像および右目用画像をそれぞれ生成するステップと、前記左目用画像が前記使用者の左目のみで認識され、前記右目用画像が前記使用者の右目のみで認識されるよう、前記左目用画像および前記右目用画像を前記表示部に表示させるステップと、を含む。
【発明の効果】
【００１６】
携帯端末装置が使用者に対して遠近方向に動いた場合に、使用者の左右の視線に対して発生する対象の移動を考慮した左目用画像および右目用画像がそれぞれ生成され、それぞれが使用者の左目もしくは右目のみに認識されるように携帯端末装置の表示部に表示されるため、使用者の視線の追従が容易になり、目に映る画像が二重になる現象が抑制される。
【発明を実施するための最良の形態】
【００１７】
以下、本発明の実施の形態について図面に基づき詳細に説明する。
【００１８】
まず、目に映る画像が二重になる原理を図２を用いて説明する。図２は、使用者が携帯端末装置の表示部２０１を見ている場合の使用者の視線を示す図である。まず、図２（ａ）の状態では、使用者の両目は、位置Ｐ０にある表示部２０１上の点Ａを、矢印で示される視線で見ている。この後、表示部２０１が図２（ｂ）で示されるように瞬間的に位置Ｐ１に移動したとする。この場合、点Ａは使用者の視線上から外れる。左目から見ると点Ａは視線の右側に移動し、右目から見ると点Ａは視線の左側に移動する。その結果、視線が点Ａの移動に追従するまで、使用者の目に映る画像は二重になる。
【００１９】
本実施の形態では、表示部２０１が図２（ｂ）で示すように移動した場合、表示画像上の点Ａが左目の視線から大きく外れないように基準画像を左方向に変位させた左目用画像および、表示画像上の点Ａが右目の視線から大きく外れないように基準画像を右方向に変位させた右目用画像を生成する。そして、生成した左目用画像および右目用画像を、左目用画像が左目のみに認識され、右目用画像が右目のみに認識されるように出力することで、使用者の目に映る画像が二重になる現象を抑制する。
【００２０】
図１は、本実施の形態に係る携帯端末装置１０１の構成を示す図である。
【００２１】
携帯端末装置１０１は、入力部１０２、移動度検出部１０３、距離検出部１０４、制御部１０５、および表示部１０６を含む。
【００２２】
入力部１０２は、テンキーなどの入力装置である。入力部１０２は、使用者によるキー押下を検出し、押下されたキーを示す信号を制御部１０５等に出力する。
【００２３】
移動度検出部１０３は加速度センサ等の移動検知装置であり、携帯端末装置１０１が移動する場合の、表示部１０６の使用者に対する遠近方向の加速度および速度等の移動度を検出し、制御部１０５へ出力する。
【００２４】
距離検出部１０４は視線検知装置等の距離検知装置であり、表示部１０６と使用者との距離を検出し、制御部１０５へ出力する。距離検出部１０４が視線検知装置である場合には、表示部１０６と使用者の目との距離が検出される。
【００２５】
制御部１０５は、ＣＰＵ、メモリなどから構成され、携帯端末装置１０１全体の動作を制御する。制御部１０５は、基準画像生成部１０７、変位画像生成部１０８、画像表示制御部１０９を含む。
【００２６】
表示部１０６は、画像表示制御部１０９から出力された表示画像を表示する、液晶ディスプレイなどの表示装置である。また、該表示画像の特定の箇所が使用者の左目にのみ認識可能となり、該特定の箇所とは異なる特定の箇所が使用者の右目にのみ認識可能となるよう、該表示画像を屈折させて出力するレンティキュラレンズ１１０を含む。レンティキュラレンズ１１０は、シリンドリカルレンズを複数並べた形状を有するレンズである。レンティキュラレンズ１１０の詳細については後述する。
【００２７】
次に、制御部１０５内の各部について説明する。
【００２８】
基準画像生成部１０７は、表示部１０６に表示される画像の基になる基準画像を生成する。
【００２９】
変位画像生成部１０８は、図２で示した原理に基づいて、基準画像生成部１０７により生成された基準画像から、左目用画像および右目用画像をそれぞれ生成する。
【００３０】
例えば、使用者が表示部１０６に表示されている表示画像上のある点を見ているとする。図２で説明した原理により、表示部１０６が使用者に近づいた場合、使用者が見ている点は、使用者の左目の視線の右側および右目の視線の左側に移動する。よって、変位画像生成部１０８は、点の移動方向とは逆方向に基準画像を変位させて、使用者が見ている点が視線から大きく外れないようにする。すなわち、基準画像を左側に変位させて左目用画像を生成し、基準画像を右側に変位させて右目用画像を生成する。表示部１０６が使用者から遠のいた場合には、逆に、基準画像を右側に変位させて左目用画像を生成し、基準画像を左側に変位させて右目用画像を生成する。なお、ここで述べた近づいた場合の処理と遠のいた場合の処理の、いずれかの処理のみを実行する構成としてもよい。
【００３１】
ここで、変位させる方向および変位量は、距離検出部１０４によって検出される表示部１０６の移動後の距離および移動度検出部１０３によって検出される加速度および速度等の移動度から得られる移動距離（距離の変化量）に基づいて算出される。または、距離検出部１０４によって検出される移動前および移動後の距離に基づいて算出される構成としてもよい。さらに、移動度検出部１０３によって検出される移動度に基づいて、表示部１０６の移動が急激でない場合には変位量を小さくする等の調整が行われてもよい。また、表示の変更速度を移動度に応じて変更する構成としてもよい。さらに、ここで用いられる移動度は、移動度検出部１０３によって検出される加速度および速度のいずれか一方でもよい。
【００３２】
ここで、上記のように基準画像を変位させると、基準画像の一部は表示部１０６からはみ出し、表示部１０６の一部には空白部ができる。図３は、基準画像を左右に変位させた場合の空白部等の処理を示す図である。図３（ａ）に示される基準画像３０１を左方向または右方向に変位させると、図３（ｂ）の３０２および３０３に示すように、基準画像３０１の一部ははみ出て表示されず、さらに表示部１０６においては斜線で示す空白部ができる。本実施の形態では、はみでた部分については特に処理は行わず、空白部については黒くする等、何も表示しない。その結果、使用者の認識画像は図３（ｃ）の３０４で示すようなものになる。
【００３３】
画像表示制御部１０９は、移動度検出部１０３により検出された移動度に応じて、基準画像生成部１０７により生成された基準画像、または変位画像生成部１０８により生成された左目用画像および右目用画像から表示画像を生成し、表示部１０６に出力する。
【００３４】
移動度が所定値未満である場合には、表示画像の補正を行わなくても使用者の両目は表示画像を追従できると考えられるため、画像表示制御部１０９は基準画像から表示画像を生成して表示部１０６に出力する。移動度が所定値以上である場合には、表示画像の補正が必要であると考えられるため、画像表示制御部１０９は、左目用画像が使用者の左目のみで認識され、右目用画像が使用者の右目のみで認識されるよう、左目用画像および右目用画像を表示部に表示させる。この場合、画像表示制御部１０９は左目用画像および右目用画像から表示画像を生成し、表示部１０６に出力する。
【００３５】
以下、移動度が所定値以上である場合の表示画像の生成方法を説明する。図４は、左目用画像および右目用画像から表示画像を生成する手法を説明する図である。画像表示制御部１０９は、まず、図４（ａ）に示す左目用画像４０１および右目用画像４０２の幅を、図４（ｂ）に示すように半分に圧縮する。次に、画像表示制御部１０９は、これらの画像を所定の幅を有するように切り離して、図４（ｃ）に示すような左目用画像片４０５および右目用画像片４０６を生成する。なお、ここで、所定の幅とは、レンティキュラレンズ１１０の１つのシリンドリカルレンズの幅の半分である。そして、画像表示制御部１０９は、図４（ｄ）に示すように左目用画像片４０５および右目用画像片４０６を交互に組み合わせて、表示画像４０７を生成する。
【００３６】
ここで、図４（ｂ）において、左目用画像４０１および右目用画像４０２を圧縮せずに所定の幅を有するように切り離し、それぞれについて１つ置きに間引きして左目用画像片および右目用画像片を生成してもよい。この場合も、左目用画像片および右目用画像片を交互に組み合わせて表示画像を生成する。
【００３７】
なお、移動度が所定値未満である場合には、上記表示画像の生成方法において、左目用画像４０１および右目用画像４０２を基準画像として、表示画像４０７を生成する。
【００３８】
上記の方法で生成された表示画像４０７は、表示部１０６において、レンティキュラレンズ１１０を介して表示される。
【００３９】
レンティキュラレンズの原理を以下に説明する。図５は、レンティキュラレンズ１１０の原理を示す図である。図５（ａ）は使用者がレンティキュラレンズ１１０を介して画像５０１を見る状況を示す図であり、図５（ｂ）は、図５（ａ）の状況を上方向からの視点で示した模式図である。レンティキュラレンズ１１０は、図５（ａ）および図５（ｂ）に示すように、シリンドリカルレンズを複数並べた形状を有するレンズである。ここで、１つのシリンドリカルレンズの幅をｗとする。画像５０１はレンティキュラレンズ１１０を介して使用者が見る画像であり、画像５０１のＸ０，Ｘ１，…およびＹ０，Ｙ１，…で示される各領域の幅はそれぞれｗ／２とする。画像５０１をレンティキュラレンズ１１０を介して２つの目で見る場合、図５（ｂ）に示すように、屈折により、左目は画像５０１のＸ０，Ｘ１，…で示した領域のみを認識し、右目は画像５０１のＹ０，Ｙ１，…で示した領域のみを認識する。その結果、左目は領域Ｘ０，Ｘ１，…を横に並べた画像を認識し、左目はＹ０，Ｙ１，…を横に並べた画像を認識する。
【００４０】
画像表示制御部１０９で生成された表示画像４０７は、シリンドリカルレンズの幅の半分の幅を有する左目用画像片４０５および右目用画像片４０６を交互に組み合わせて生成された画像であり、左目用画像片４０５が図５における領域Ｘ０，Ｘ１，…に、右目用画像片４０６が図５における領域Ｙ０，Ｙ１，…に、それぞれ対応する。よって、レンティキュラレンズ１１０を介することにより、使用者の左目は左目用画像のみを認識し、使用者の右目は右目用画像のみを認識する。
【００４１】
次に、上記の構成を有する携帯端末装置で実行される画像表示制御を説明する。図６は、本実施の形態に係る携帯端末装置１０１における画像表示制御を示すフローチャートである。
【００４２】
まず、移動度検出部１０３は携帯端末装置１０１の移動度を検出し、距離検出部１０４は表示部１０６と使用者との距離を検出して（Ｓ６０１）、それぞれ制御部１０５へ出力する。
【００４３】
次に変位画像生成部１０８は、移動度検出部１０３により検出された移動度および距離検出部１０４により検出された距離に基づいて、左目用画像および右目用画像を生成するための変位量を算出する（Ｓ６０２）。そして、変位画像生成部１０８は、この変位量を用いて基準画像から左目用画像および右目用画像を生成し（Ｓ６０３）、画像表示制御部１０９へ出力する。
【００４４】
次に画像表示制御部１０９は、移動度検出部１０３により検出された移動度が所定値以上か判定する（Ｓ６０４）。移動度が所定値以上である場合には、変位画像生成部１０８から入力された左目用画像および右目用画像から表示画像を生成する（Ｓ６０５）。移動度が所定値未満である場合には、基準画像から表示画像を生成する（Ｓ６０６）。
【００４５】
そして表示部１０６は、画像表示制御部１０９により生成された表示画像を、レンティキュラレンズ１１０を介して表示する（Ｓ６０７）。レンティキュラレンズ１１０を介することで、使用者の左目は該表示画像の左目用画像部分のみを認識し、使用者の右目は該表示画像の右目用画像のみを認識する。
【００４６】
上記の構成により、表示部１０６が使用者に対して遠近方向に動いた場合に、使用者の視線の追従が容易になり、目に映る画像が二重になる現象が抑制される。
【００４７】
以上、本発明者によってなされた発明を実施の形態に基づき具体的に説明したが、本発明は上記実施の形態に限定されるものではなく、本発明の趣旨を逸脱しない範囲で種々変更可能であることはいうまでもない。
【００４８】
例えば、本実施の形態では、変位画像生成部１０８において、基準画像を右または左方向に変位させて左目用画像および右目用画像を生成する構成を示したが、さらに距離検出部１０４で検出される、表示部１０６と使用者との距離に応じて、近づいた場合には基準画像を縮小し、離れた場合には基準画像を拡大したうえで上記左右方向へ変位させる処理を行う構成としてもよい。さらに、ここで用いる距離は、移動前の距離、移動後の距離、移動前と移動後の平均距離などでもよい。
【００４９】
また、本実施の形態では、画像表示制御部１０９が、移動度が所定値以上か判断する構成を示したが、さらに、変位画像生成部１０８も同様の判断を行い、移動度が所定値以上の場合のみ、左目用画像および右目用画像の生成を行う構成、または画像表示制御部１０９における判断結果に基づいて、移動度が所定値以上の場合のみ変位画像生成部１０８が左目用画像および右目用画像の生成を行う構成としてもよい。
【００５０】
さらに、本実施の形態では、移動度検出部１０３により検出された移動度および距離検出部１０４により検出された距離に基づいて基準画像を左右方向に変位させて左目用画像および右目用画像を生成する構成を示したが、さらに、移動度に所定の減少傾向が見られた時点で変位量を徐々に減らして、左目用画像および右目用画像を基準画像に戻していく制御を含む構成としてもよい。
【００５１】
また、本実施の形態では、左目用画像および右目用画像の表示に、レンティキュラレンズ１１０を利用する構成を示したが、左目用画像が使用者の左目のみに認識され、右目用画像が使用者の右目にのみ認識される構成であれば、他の構成としてもよい。
【図面の簡単な説明】
【００５２】
【図１】本発明の実施の形態に係る携帯端末装置の構成を示す図である。
【図２】使用者が携帯端末装置の表示部を見ている場合の使用者の視線を示す図である。
【図３】基準画像を左右方向に変位させた場合の空白部等の処理を示す図である。
【図４】左目用画像および右目用画像から表示画像を生成する手法を説明する図である。
【図５】レンティキュラレンズの原理を示す図である。
【図６】本実施の形態に係る携帯端末装置における画像表示制御を示すフローチャートである。
【符号の説明】
【００５３】
１０１  携帯端末装置、１０２  入力部、１０３  移動度検出部、１０４  距離検出部、１０５  制御部、１０６  表示部、１０７  基準画像生成部、１０８  変位画像生成部、１０９  画像表示制御部、１１０  レンティキュラレンズ、２０１  表示部、３０１  基準画像、３０２  左目用画像、３０３  右目用画像、３０４  使用者の認識画像、４０１  左目用画像、４０２  右目用画像、４０３  左目用画像、４０４  右目用画像、４０５  左目用画像片、４０６  右目用画像片、４０７  表示画像、５０１  画像。
【図１】
2010032931.tif 000003
【図２】
2010032931.tif 000004
【図３】
2010032931.tif 000005
【図４】
2010032931.tif 000006
【図５】
2010032931.tif 000007
【図６】
2010032931.tif 000008